(57)【特許請求の範囲】
【請求項１】
光情報記録媒体に情報を記録し、及び／又は前記光情報記録媒体に記録された情報を再生する光情報記録／再生装置において、
装着された前記光情報記録媒体に向けて光ビームを発射する光源部と、
前記光情報記録媒体における前記光ビームの反射光又は前記光情報記録媒体を透過した前記光ビームの透過光を受光し、受光した前記反射光又は前記透過光に応じた出力信号を出力する受光部と、
前記受光部から出力される前記出力信号に基づいて、前記光情報記録媒体がホログラフィを利用して情報を記録するホログラムディスク及び反射光に基づいて情報を再生する反射型光ディスクのいずれであるかを判別する判別部と
を備え、
前記光源部及び前記受光部は、
前記ホログラムディスクの内周部に設けられた当該ホログラムディスクの回転角度を制御するための回転角度制御用トラックに光ビームを照射し、当該光ビームの前記ホログラムディスクにおける反射光を受光し、受光した前記反射光に応じた出力信号を出力する第１の光ピックアップである
ことを特徴とする光情報記録／再生装置。
【請求項２】
前記判別部は、
前記受光部から出力される前記出力信号に基づいて、前記光ビームの前記光情報記録媒体からのデフォーカス量に応じた信号レベルのフォーカス誤差信号を生成するサーボ信号生成部と、
前記光情報記録媒体として前記ホログラムディスクが装着された場合における前記フォーカス誤差信号のピークレベルと、前記光情報記録媒体として前記反射型光ディスクが装着された場合における前記フォーカス誤差信号のピークレベルとの間に設定された閾値電圧を出力する閾値電圧出力部と
前記フォーカス誤差信号の信号レベルと前記閾値電圧との差分電圧を出力する差分電圧出力部と
を備え、
前記差分電圧出力部から出力される前記差分電圧に基づいて、前記光情報記録媒体が前記ホログラムディスク及び前記反射型光ディスクのいずれであるかを判別する
ことを特徴とする請求項１に記載の光情報記録／再生装置。
【請求項３】
光情報記録媒体に情報を記録し、及び／又は前記光情報記録媒体に記録された情報を再生する光情報記録／再生装置において、
装着された前記光情報記録媒体に向けて光ビームを発射する光源部と、
前記光情報記録媒体における前記光ビームの反射光又は前記光情報記録媒体を透過した前記光ビームの透過光を受光し、受光した前記反射光又は前記透過光に応じた出力信号を出力する受光部と、
前記受光部から出力される前記出力信号に基づいて、前記光情報記録媒体がホログラフィを利用して情報を記録するホログラムディスク及び反射光に基づいて情報を再生する反射型光ディスクのいずれであるかを判別する判別部と
を備え、
前記光源部は、
前記ホログラムディスクから情報を再生する際に当該ホログラムディスクに参照光を照射する第２の光ピックアップであり、
前記受光部は、
前記光情報記録媒体を基準として前記光源部の反対側に設けられ、前記光源部から発射された前記参照光の位相共役光を生成して出力する位相共役光学系である
ことを特徴とする光情報記録／再生装置。
【請求項４】
前記判別部は、
前記光情報記録媒体として前記ホログラムディスクが装着された場合における前記受光部の出力電圧と、前記光情報記録媒体として前記反射型光ディスクが装着された場合における前記受光部の出力電圧との間に設定された閾値電圧を出力する閾値電圧出力部と、
前記受光部の出力電圧と前記閾値電圧との差分電圧を出力する差分電圧出力部と
を備え、
前記差分電圧出力部から出力される前記差分電圧に基づいて、前記光情報記録媒体が前記ホログラムディスク及び前記反射型光ディスクのいずれであるかを判別する
ことを特徴とする請求項３に記載の光情報記録／再生装置。
【請求項５】
光情報記録媒体に情報を記録し、及び／又は前記光情報記録媒体に記録された情報を再生する光情報記録／再生装置において、
装着された前記光情報記録媒体に向けて光ビームを発射する光源部と、
前記光情報記録媒体における前記光ビームの反射光又は前記光情報記録媒体を透過した前記光ビームの透過光を受光し、受光した前記反射光又は前記透過光に応じた出力信号を出力する受光部と、
前記受光部から出力される前記出力信号に基づいて、前記光情報記録媒体がホログラフィを利用して情報を記録するホログラムディスク及び反射光に基づいて情報を再生する反射型光ディスクのいずれであるかを判別する判別部と
を備え、
前記光源部は、
前記ホログラムディスクの内周部に設けられた当該ホログラムディスクの回転角度を制御するための回転角度制御用トラックに赤色光ビームを照射する第３の光ピックアップであり、
前記受光部は、
前記光情報記録媒体を介して前記光源部の反対側に設けられ、前記ホログラムディスクから情報を再生する際に第４の光ピックアップから発射される参照光の位相共役光を生成して出力する位相共役光学系である
ことを特徴とする光情報記録／再生装置。
【請求項６】
前記判別部は、
前記光情報記録媒体として前記ホログラムディスクが装着された場合における前記受光部の出力電圧と、前記光情報記録媒体として前記反射型光ディスクが装着された場合における前記受光部の出力電圧との間に設定された閾値電圧を出力する閾値電圧出力部と
前記受光部の出力電圧と前記閾値電圧との差分電圧を出力する差分電圧出力部と
を備え、
前記差分電圧出力部から出力される前記差分電圧に基づいて、前記光情報記録媒体が前記ホログラムディスク及び前記反射型光ディスクのいずれであるかを判別する
ことを特徴とする請求項５に記載の光情報記録／再生装置。
【請求項７】
光情報記録媒体に情報を記録し、及び／又は前記光情報記録媒体に記録された情報を再生する光情報記録／再生装置におけるディスク判別方法において、
装着された前記光情報記録媒体に向けて光ビームを発射する第１のステップと、
前記光情報記録媒体における前記光ビームの反射光又は前記光情報記録媒体を透過した前記光ビームの透過光を受光し、受光した前記反射光又は前記透過光に応じた出力信号を出力する第２のステップと、
前記出力信号に基づいて、前記光情報記録媒体がホログラフィを利用して情報を記録するホログラムディスク及び反射光に基づいて情報を再生する反射型光ディスクのいずれであるかを判別する第３のステップと
を備え、
前記第１及び第２のステップは、
前記ホログラムディスクの内周部に設けられた当該ホログラムディスクの回転角度を制御するための回転角度制御用トラックに光ビームを照射し、当該光ビームの前記ホログラムディスクにおける反射光を受光し、受光した前記反射光に応じた出力信号を出力する第１の光ピックアップにより実行される
ことを特徴とするディスク判別方法。
【請求項８】
前記第３のステップは、
前記受光部から出力される前記出力信号に基づいて、前記光ビームの前記光情報記録媒体からのデフォーカス量に応じた信号レベルのフォーカス誤差信号を生成するサーボ信号生成ステップと、
前記光情報記録媒体として前記ホログラムディスクが装着された場合における前記フォーカス誤差信号のピークレベルと、前記光情報記録媒体として前記反射型光ディスクが装着された場合における前記フォーカス誤差信号のピークレベルとの間に設定された閾値電圧を出力する閾値電圧出力ステップと
前記トラッキング誤差信号の信号レベルと前記閾値電圧との差分電圧を出力する差分電圧出力ステップと
を備え、
前記差分電圧出力ステップにおいて出力される前記差分電圧に基づいて、前記光情報記録媒体が前記ホログラムディスク及び前記反射型光ディスクのいずれであるかを判別する
ことを特徴とする請求項７に記載のディスク判別方法。
【請求項９】
光情報記録媒体に情報を記録し、及び／又は前記光情報記録媒体に記録された情報を再生する光情報記録／再生装置におけるディスク判別方法において、
装着された前記光情報記録媒体に向けて光ビームを発射する第１のステップと、
前記光情報記録媒体における前記光ビームの反射光又は前記光情報記録媒体を透過した前記光ビームの透過光を受光し、受光した前記反射光又は前記透過光に応じた出力信号を出力する第２のステップと、
前記受光部から出力される前記出力信号に基づいて、前記光情報記録媒体がホログラフィを利用して情報を記録するホログラムディスク及び反射光に基づいて情報を再生する反射型光ディスクのいずれであるかを判別する第３のステップと
を備え、
前記第１のステップは、
前記ホログラムディスクから情報を再生する際に当該ホログラムディスクに参照光を照射する第２の光ピックアップにより実行され、
前記第２のステップは、
前記光情報記録媒体を基準として前記光源部の反対側に設けられ、前記光源部から発射された前記参照光の位相共役光を生成して出力する位相共役光学系により実行される
ことを特徴とするディスク判別方法。
【請求項１０】
前記第３のステップは、
前記光情報記録媒体として前記ホログラムディスクが装着された場合における前記受光部の出力電圧と、前記光情報記録媒体として前記反射型光ディスクが装着された場合における前記受光部の出力電圧との間に設定された閾値電圧を出力する閾値電圧出力ステップと、
前記受光部の出力電圧と前記閾値電圧との差分電圧を出力する差分電圧出力ステップと、
を備え、
前記差分電圧出力ステップにおいて出力される前記差分電圧に基づいて、前記光情報記録媒体が前記ホログラムディスク及び前記反射型光ディスクのいずれであるかを判別する
ことを特徴とする請求項９に記載のディスク判別方法。
【請求項１１】
光情報記録媒体に情報を記録し、及び／又は前記光情報記録媒体に記録された情報を再生する光情報記録／再生装置におけるディスク判別方法において、
装着された前記光情報記録媒体に向けて光ビームを発射する第１のステップと、
前記光情報記録媒体における前記光ビームの反射光又は前記光情報記録媒体を透過した前記光ビームの透過光を受光し、受光した前記反射光又は前記透過光に応じた出力信号を出力する第２のステップと、
前記受光部から出力される前記出力信号に基づいて、前記光情報記録媒体がホログラフィを利用して情報を記録するホログラムディスク及び反射光に基づいて情報を再生する反射型光ディスクのいずれであるかを判別する第３のステップと
を備え、
前記第１のステップは、
前記ホログラムディスクの内周部に設けられた当該ホログラムディスクの回転角度を制御するための回転角度制御用トラックに赤色光ビームを照射する第３の光ピックアップにより実行され、
前記第２のステップは、
前記光情報記録媒体を介して前記光源部の反対側に設けられ、前記ホログラムディスクから情報を再生する際に第４の光ピックアップから発射される参照光の位相共役光を生成して出力する位相共役光学系により実行される
ことを特徴とするディスク判別方法。
【請求項１２】
前記第３のステップは、
前記光情報記録媒体として前記ホログラムディスクが装着された場合における前記受光部の出力電圧と、前記光情報記録媒体として前記反射型光ディスクが装着された場合における前記受光部の出力電圧との間に設定された閾値電圧を出力する閾値電圧出力ステップと
前記受光部の出力電圧と前記閾値電圧との差分電圧を出力する差分電圧出力ステップと
を備え、
前記差分電圧出力ステップにおいて出力される前記差分電圧に基づいて、前記光情報記録媒体が前記ホログラムディスク及び前記反射型光ディスクのいずれであるかを判別する
ことを特徴とする請求項１１に記載のディスク判別方法。
【発明の詳細な説明】
【技術分野】
【０００１】
本発明は、ホログラフィを用いて、光情報記録媒体に情報を記録する、及び／又は光情報記録媒体から情報を再生する、装置に関する。
【背景技術】
【０００２】
従来から、ＣＤ（Compact Disc）やＤＶＤ（Digital Versatile Disc）等の反射系の光学情報記録媒体（光ディスク）の情報記録領域（情報記録面）に情報を記録し、及び／又は当該情報記録領域に記録された情報を再生する光情報記録／再生装置がある。
【０００３】
また、近年では、青紫色半導体レーザを用いたブルーレイディスク（Blue-ray Disc:以下、「ＢＤ」という）規格や、ＨＤ  ＤＶＤ（High Definition ＤＶＤ）規格等により、コンシューマ用（民生用）においても５０ＧＢ程度の記録密度を持つ反射系ディスクの商品化が可能となってきた。その一方で、光ディスクについても、１００ＧＢ〜１ＴＢというＨＤＤ（Hard Disc Drive）容量に匹敵するさらなる大容量化が望まれている。
【０００４】
しかしながら、このような超高密度を光ディスクで実現するためには、今までの様な短波長化と対物レンズ高ＮＡ化による従来の高密度技術とは異なった新しいストレージ技術が必要となる。そこで、近年では、ホログラフィを利用してデジタル情報を記録するホログラム記録技術が注目を集めている。このホログラム記録技術によれば、１つのホログラムで２次元的な情報を同時に記録／再生することができ、また同じ場所に複数のページデータを重ね書きすることができるため、大容量かつ高速な情報の記録再生に有効である。
【０００５】
このようなホログラム記録技術として、信号光束をレンズでホログラム用の光ディスク（以下、これをホログラムディスクと呼ぶ）に集光すると同時に、平行光束の参照光を照射して干渉させてホログラムの記録を行い、さらに参照光のホログラムディスクへの入射角度を変えながら異なるページデータを空間光変調器に表示して多重記録を行う、いわゆる角度多重記録方式がある。（例えば、特許文献１参照）。
【０００６】
また、１つの空間光変調器において内側の画素からの光を信号光、外側の輪帯状の画素からの光を参照光として、両光束を同じレンズでホログラムディスクに集光し、レンズの焦点面付近で信号光と参照光を干渉させてホログラムを記録するシフト多重方式を用いたホログラム記録技術も紹介されている。（例えば、特許文献２参照）。
【特許文献１】特開２００４−２７２２６８号公報
【特許文献２】ＷＯ２００４−１０２５４２号公報
【発明の開示】
【発明が解決しようとする課題】
【０００７】
ホログラムディスクに対応した光情報記録／再生装置においては、上位互換の観点から、ＣＤやＤＶＤ及びＢＤ等に代表される従来の反射型光ディスク（光ビームを照射し、その反射光に基づいて情報を再生するタイプの光ディスクと呼ぶ）に対しても情報を記録／再生できるようにすることが望ましい。ただし、反射型光ディスクとホログラムディスクとでは情報の記録／再生方式が全く異なるため、自己に装着された光ディスクが反射型光ディスク及びホログラムディスクのいずれであるのかを自動判別し、判別結果に基づいてその光ディスクに対応した記録再生方式で情報の記録再生を行い得るように光情報記録／再生装置を構築することが望まれる。
【０００８】
そして、このように光情報記録／再生装置を構築することによって、ユーザがそのとき装着する光ディスクの種類を意識することなく光情報記録／再生装置を使用することができ、その分、光情報記録／再生装置の使い勝手を向上させ得るものと考えられる。
【０００９】
本発明は以上の点を考慮してなされたもので、使い勝手を向上させ得る光情報記録／再生装置を提案しようとするものである。
【課題を解決するための手段】
【００１０】
かかる課題を解決するため本発明においては、光情報記録媒体に情報を記録し、及び／又は前記光情報記録媒体に記録された情報を再生する光情報記録／再生装置において、装着された前記光情報記録媒体に向けて光ビームを発射する光源部と、前記光情報記録媒体における前記光ビームの反射光又は前記光情報記録媒体を透過した前記光ビームの透過光を受光し、受光した前記反射光又は前記透過光に応じた出力信号を出力する受光部と、前記受光部から出力される前記出力信号に基づいて、前記光情報記録媒体がホログラフィを利用して情報を記録するホログラムディスク及び反射に基づいて情報を再生する反射型光ディスクのいずれであるかを判別する判別部とを備え、前記光源部及び前記受光部は、前記ホログラムディスクの内周部に設けられた当該ホログラムディスクの回転角度を制御するための回転角度制御用トラックに光ビームを照射し、当該光ビームの前記ホログラムディスクにおける反射光を受光し、受光した前記反射光に応じた出力信号を出力する第１の光ピックアップであることを特徴とする。
また本発明においては、光情報記録媒体に情報を記録し、及び／又は前記光情報記録媒体に記録された情報を再生する光情報記録／再生装置において、装着された前記光情報記録媒体に向けて光ビームを発射する光源部と、前記光情報記録媒体における前記光ビームの反射光又は前記光情報記録媒体を透過した前記光ビームの透過光を受光し、受光した前記反射光又は前記透過光に応じた出力信号を出力する受光部と、前記受光部から出力される前記出力信号に基づいて、前記光情報記録媒体がホログラフィを利用して情報を記録するホログラムディスク及び反射光に基づいて情報を再生する反射型光ディスクのいずれであるかを判別する判別部とを備え、前記光源部は、前記ホログラムディスクから情報を再生する際に当該ホログラムディスクに参照光を照射する第２の光ピックアップであり、前記受光部は、前記光情報記録媒体を基準として前記光源部の反対側に設けられ、前記光源部から発射された前記参照光の位相共役光を生成して出力する位相共役光学系であることを特徴とする。
さらに本発明においては、光情報記録媒体に情報を記録し、及び／又は前記光情報記録媒体に記録された情報を再生する光情報記録／再生装置において、装着された前記光情報記録媒体に向けて光ビームを発射する光源部と、前記光情報記録媒体における前記光ビームの反射光又は前記光情報記録媒体を透過した前記光ビームの透過光を受光し、受光した前記反射光又は前記透過光に応じた出力信号を出力する受光部と、前記受光部から出力される前記出力信号に基づいて、前記光情報記録媒体がホログラフィを利用して情報を記録するホログラムディスク及び反射光に基づいて情報を再生する反射型光ディスクのいずれであるかを判別する判別部とを備え、前記光源部は、前記ホログラムディスクの内周部に設けられた当該ホログラムディスクの回転角度を制御するための回転角度制御用トラックに赤色光ビームを照射する第３の光ピックアップであり、前記受光部は、前記光情報記録媒体を介して前記光源部の反対側に設けられ、前記ホログラムディスクから情報を再生する際に第４の光ピックアップから発射される参照光の位相共役光を生成して出力する位相共役光学系であることを特徴とする。
【００１１】
また本発明においては、光情報記録媒体に情報を記録し、及び／又は前記光情報記録媒体に記録された情報を再生する光情報記録／再生装置におけるディスク判別方法において、装着された前記光情報記録媒体に向けて光ビームを発射する第１のステップと、前記光情報記録媒体における前記光ビームの反射光又は前記光情報記録媒体を透過した前記光ビームの透過光を受光し、受光した前記反射光又は前記透過光に応じた出力信号を出力する第２のステップと、前記出力信号に基づいて、前記光情報記録媒体がホログラフィを利用して情報を記録するホログラムディスク及び反射光に基づいて情報を再生する反射型光ディスクのいずれであるかを判別する第３のステップとを備え、前記第１及び第２のステップは、前記ホログラムディスクの内周部に設けられた当該ホログラムディスクの回転角度を制御するための回転角度制御用トラックに光ビームを照射し、当該光ビームの前記ホログラムディスクにおける反射光を受光し、受光した前記反射光に応じた出力信号を出力する第１の光ピックアップにより実行されることを特徴とする。
さらに本発明においては、光情報記録媒体に情報を記録し、及び／又は前記光情報記録媒体に記録された情報を再生する光情報記録／再生装置におけるディスク判別方法において、装着された前記光情報記録媒体に向けて光ビームを発射する第１のステップと、前記光情報記録媒体における前記光ビームの反射光又は前記光情報記録媒体を透過した前記光ビームの透過光を受光し、受光した前記反射光又は前記透過光に応じた出力信号を出力する第２のステップと、前記受光部から出力される前記出力信号に基づいて、前記光情報記録媒体がホログラフィを利用して情報を記録するホログラムディスク及び反射光に基づいて情報を再生する反射型光ディスクのいずれであるかを判別する第３のステップとを備え、前記第１のステップは、前記ホログラムディスクから情報を再生する際に当該ホログラムディスクに参照光を照射する第２の光ピックアップにより実行され、前記第２のステップは、前記光情報記録媒体を基準として前記光源部の反対側に設けられ、前記光源部から発射された前記参照光の位相共役光を生成して出力する位相共役光学系により実行されることを特徴とする。
さらに本発明においては、光情報記録媒体に情報を記録し、及び／又は前記光情報記録媒体に記録された情報を再生する光情報記録／再生装置におけるディスク判別方法において、装着された前記光情報記録媒体に向けて光ビームを発射する第１のステップと、前記光情報記録媒体における前記光ビームの反射光又は前記光情報記録媒体を透過した前記光ビームの透過光を受光し、受光した前記反射光又は前記透過光に応じた出力信号を出力する第２のステップと、前記受光部から出力される前記出力信号に基づいて、前記光情報記録媒体がホログラフィを利用して情報を記録するホログラムディスク及び反射光に基づいて情報を再生する反射型光ディスクのいずれであるかを判別する第３のステップとを備え、前記第１のステップは、前記ホログラムディスクの内周部に設けられた当該ホログラムディスクの回転角度を制御するための回転角度制御用トラックに赤色光ビームを照射する第３の光ピックアップにより実行され、前記第２のステップは、前記光情報記録媒体を介して前記光源部の反対側に設けられ、前記ホログラムディスクから情報を再生する際に第４の光ピックアップから発射される参照光の位相共役光を生成して出力する位相共役光学系により実行されることを特徴とする。
【発明の効果】
【００１２】
本発明によれば、ユーザがそのとき装着する光ディスクの種類を意識することなく光情報記録／再生装置を使用することができ、光情報記録／再生装置の使い勝手を向上させることができる。
【発明を実施するための最良の形態】
【００１３】
以下図面について、本発明の一実施の形態を詳述する。
【００１４】
（１）第１の実施の形態
（１−１）第１の実施の形態による光情報記録再生装置の構成
図１において、１は全体として本実施の形態による光情報記録再生装置を示す。この光情報記録再生装置は、ホスト２からの要求に応じてホログラムディスク３に対して情報を記録再生し得るほか、反射型光ディスク４に対しても情報を記録再生し得るようになされている。
【００１５】
すなわち、本実施の形態の光情報記録再生装置１は、光ピックアップ１１、位相共役光学系１２、ディスクキュア光学系１３、ディスク回転角度検出用光ピックアップ１４、回転モータ１６及びこれらを制御するマイクロコンピュータ１７を備えており、所定状態に装着された光ディスク（ホログラムディスク３又は反射型光ディスク４）を回転モータ１６によって回転駆動させることができる構成となっている。
【００１６】
光ピックアップ１１は、ホログラムディスク３に情報を記録／再生するためのホログラム用光学系１１Ａと、反射型光ディスク４に情報を記録／再生するための反射型光ディスク用光学系１１Ｂとから構成される。
【００１７】
ホログラム用光学系１１Ａは、参照光及び信号光をホログラムディスク３に出射してホログラフィを利用してデジタル情報を記録する役割を果たす。この際、記録される情報信号は、ホスト２からマイクロコンピュータ１７に与えられたデジタル情報に対してホログラム用信号生成回路１８において所定の信号処理を施すことにより生成されたもので、この情報信号に基づいて光ピックアップ１１のホログラム用光学系１１Ａにおいて光ビームを空間光変調してなる信号光が生成される。ホログラムディスク３に照射される参照光と信号光の照射時間は、光ピックアップ１１内の後述するシャッタ４２（図３参照）の開閉時間をマイクロコンピュータ１７によって図示しないシャッタ制御回路を介して制御することで調整できる。
【００１８】
ホログラムディスク３に記録された情報を再生する場合は、ホログラム用光学系１１Ａから出射された参照光の位相共役光を、ホログラムディスク３を基準としてホログラム用光学系１１Ａの反対側に設けられた位相共役光学系１２によって生成する。ここで、位相共役光とは、入力光と同一の波面を保ちながら逆方向に進む光波のことである。この位相共役光によって再生される再生光をホログラム用光学系１１Ａ内の後述する光検出器６２（図３参照）によって検出し、ホログラム用信号処理回路１９によって信号を再生する。
【００１９】
以上の記録／再生動作をホログラムディスク３の全面に渡って行なうために、回転モータ１６により、ホログラムディスク３を回転させる。この場合において、ホログラムディスク３に情報を安定して記録するために十分な光エネルギーを得るため、情報の記録、再生を行う際、ホログラムディスク３は静止していることが望ましい。したがって、本実施の形態では、ホログラムディスク３を順次静止させながら情報の記録／再生を行なうように、マイクロコンピュータ１７がディスク回転モータ制御回路２０を介して回転モータ１６を駆動制御する。
【００２０】
ディスクキュア光学系１３は、ホログラムディスク３のプリキュア及びポストキュアに用いる光ビームを生成するものである。ここで、プリキュアとは、ホログラムディスク３の所望の位置に情報を記録する際、この所望位置に参照光と信号光を照射する前に予め所定の光ビームを照射する前工程のことである。また、ポストキュアとは、ホログラムディスク３内の所望の位置に情報を記録した後、該所望の位置に追記不可能とするために所定の光ビームを照射する後工程のことである。
【００２１】
ディスク回転角度検出用光ピックアップ１４は、ホログラムディスク３の回転角度を検出するための光ピックアップであり、図４について後述する光ピックアップ１１の反射型光ディスク用光学系１１Ｂと同様の構成を有する。本実施の形態の場合、ホログラムディスク３のディスク回転角度検出用光ピックアップ１４と対向する面の最内周には、図２に示すように、ホログラムディスク３の所定の回転角度を１周期とする正弦波状の回転角度制御用トラック３Ａ及び反射層がホログラムディスク３の一周に渡って形成されている。ディスク回転角度検出用光ピックアップ１４は、この回転角度制御用トラック３Ａに赤色光ビームを照射し、その反射光に基づいてホログラムディスク３の回転角度に応じた回転角度検出信号を生成し、生成した回転角度検出信号をマイクロコンピュータ１７に送出する。かくしてマイクロコンピュータ１７は、この回転角度検出信号に基づいてディスク回転モータ制御回路２０を介してホログラムディスク３の回転角度を制御する。
【００２２】
なお、かかる光ビームのホログラムディスク３上における光スポットの焦点合わせ（オートフォーカス）及びトラック（案内溝）上への位置合わせ（トラッキング）は、回転角度検出用サーボ信号生成回路２１及び回転角度検出用サーボ制御回路２２を介して行われる。また、従来型ディスク検出回路２３は、このとき回転角度検出用サーボ信号生成回路１２により生成される、光ビームの光ディスクからのデフォーカス量に応じた信号レベルのフォーカス誤差信号に基づいて、そのとき装着されている光ディスクが従来型ディスク４であるか否かを判定するための信号を生成する機能を有するものである。従来型ディスク検出回路２３の具体的な構成については後述する。
【００２３】
光ピックアップ１１内のホログラム用光学系１１Ａ及び反射型光ディスク用光学系１１Ｂと、ディスクキュア光学系１３と、ディスク回転角度検出用光ピックアップ１４とは、各々その内部に光源を有する。これらの光源には、それぞれ光源駆動回路２４から所定の光源駆動電流が供給される。かくしてこれら光源は、それぞれ所定の光量で光ビームを発光することができる。
【００２４】
また、光ピックアップ１１、位相共役光学系１２、ディスクキュア光学系１３は、ホログラムディスク３の半径方向に位置をスライドできるスライド機構が設けられており、アクセス制御回路２５を介して位置制御が行われる。そして、この位置制御により、ディスク全面での記録及び再生が可能となる。
【００２５】
なお、光情報記録再生装置１の小型化を達成するため、光ピックアップ１１、位相共役光学系１２、ディスクキュア光学系１３、ディスク回転角度検出用光ピックアップ１４は、いくつかの光学系構成又は全ての光学系構成をひとつに纏めて簡素化してもよい。また、ホログラフィを利用した記録技術は、超高密度な情報を記録可能な技術であるため、例えば、ホログラムディスク３の傾きや位置ずれに対する許容誤差が極めて小さくなる傾向がある。このため、光ピックアップ１１内に、例えば、ホログラムディスク３の傾きや位置ずれ等、許容誤差が小さいずれ要因のずれ量を検出する機構を設け、ホログラム用サーボ信号生成回路２６でサーボ制御用の信号を生成し、サーボ制御回路２７を介して、前記ずれ量を補正するサーボ機構を光情報記録再生装置１内に備えてもよい。
【００２６】
一方、光ピックアップ１１の反射型光ディスク用光学系１１Ｂは信号光を反射型光ディスク４に出射してデジタル情報を記録する役割を果たす。この際、記録される情報信号は、ホスト２からマイクロコンピュータ１７に与えられたデジタル情報に対して反射型光ディスク用信号生成回路２８において所定の信号処理を施すことにより生成されたもので、この情報信号に基づいて変調された光ビームが光ピックアップ１１の反射型光ディスク用光学系１１Ｂから発射され、これが反射型光ディスク４上に集光されて情報が記録される。
【００２７】
また、光ディスク２に記録された情報を再生する際は、反射型光ディスク４からの反射光を反射型光ディスク用光学系１１Ｂにおいて電気信号に変換し、この電気信号に対して反射型光ディスク用信号処理回路２９において所定の信号処理を施すことにより再生信号を得る。そして、このようにして得られた再生信号がマイクロコンピュータ１７を介してホスト２に出力される。以上の記録再生動作において、反射型光ディスク４上における光スポットの焦点合わせ（オートフォーカス）及びトラック（案内溝）上への位置合わせ（トラッキング）は、反射型光ディスク用サーボ信号生成回路３０及びサーボ制御回路２７を介して行われる。
【００２８】
以上の記録再生動作を反射型光ディスク４の全面に渡って行うために、回転モータ１６により反射型光ディスク４を回転させる。この場合、反射型光ディスク４における情報の記録再生では、数百Ｍｂｐｓという高速転送速度を得るため、光ディスク２を分速数千回転の高速度で回転させるように、マイクロコンピュータ１７がディスク回転モータ制御回路２０を介して回転モータ１６を駆動制御する。
【００２９】
図３は、ホログラム用光学系１１Ａの具体的な構成を示す。このホログラム用光学系１１Ａでは、光源４０を出射した光ビームがコリメートレンズ４１を介してシャッタ４２に入射する。シャッタ４２が開いているときは、光ビームはシャッタ４２を通過した後、例えば２分の１波長板等で構成される光学素子４３によってＰ偏光とＳ偏光の光量比が所望の比になるように偏光方向を制御された後、ＰＢＳプリズム４４に入射する。ＰＢＳプリズム４４を透過した光ビームは、ビームエキスパンダ４５によって光ビーム径を拡大された後、位相マスク４６、リレーレンズ４７及びＰＢＳプリズム４８を経由して空間光変調器４９に導入される。空間光変調器４９は、ホログラム用信号生成回路１８（図１）から与えられる情報信号に基づいて光ビームを空間光変調する。そして、この結果として得られた信号光ビームが、リレーレンズ５０間の空間フィルタ５１を介して対物レンズ５２に入射し、この対物レンズ５２によってホログラムディスク３上に集光される。
【００３０】
またＰＢＳプリズム４４を反射した光ビームは、偏光方向変換素子５３によって記録時又は再生時に応じて所定の偏光方向に設定された後、ミラー５４，５５を経由してガルバノミラー５６に入射する。そして、このガルバノミラー５６における反射光が参照光ビームとしてレンズ５８及び対物レンズ５９を介してホログラムディスク３に入射する。ここで、ガルバノミラー５６はアクチュエータ５７によって回転が可能なミラーであり、この回転によってホログラムディスク３に対する参照光ビームの入射角度を所望の角度に設定することができる。
【００３１】
このように、信号光ビームと参照光ビームとをホログラムディスク３上において互いに重ね合うように入射させることで、ホログラムディスク３内には干渉縞パターンが形成され、このパターンを情報記録領域に書き込むことで情報を記録する。またガルバノミラー５２を回転させることで、ホログラムディスク３に入射する参照光ビームの入射角度を変化させることができるため、角度多重による記録が可能である。
【００３２】
ホログラムディスク３に記録した情報を再生する場合には、シャッタ４２を閉じることにより参照光のみをホログラムディスク３に入射させ、ホログラムディスク３を透過した光ビームを位相共役光学系１２のガルバノミラー６０にて反射させることで、その位相共役光を生成する。なおガルバノミラー６０は、アクチュエータ６１によって回転自在に保持される。この位相共役光によって再生された再生光ビームは、対物レンズ５２及びリレーレンズ５０間の空間フィルタ５１を介してＰＢＳプリズム４８に入射し、このＰＢＳプリズム４８において反射して光検出器６２に入射する。かくしてこの光検出器６２の出力がホログラム用信号処理回路１９（図１）に与えられて再生処理される。
【００３３】
一方、図４は、反射型光ディスク用光学系１１Ｂの具体的な構成を示す。この反射型光ディスク用光学系１１Ｂでは、反射型光ディスク４に情報を記録する場合、反射型光ディスク用信号生成回路２８（図１）から与えられる情報信号に基づいて変調された光ビームが光源７０から発射され、この光ビームがコリメートレンズ７１を介して偏光方向変換素子７２に入射する。偏光方向変換素子７２では、ここから出射される光ビームの偏光がＳ偏光となるように偏光方向を制御することで、ＰＢＳプリズム７３に入射する光ビームを反射させ、ビームエキスパンダ７４の光路へと光ビームを導く。次に、ビームエキスパンダ７４を通過した光ビームは、立ち上げミラー７５と、例えば４分の１波長板等で構成される光学素子７６とを経由して円偏光の状態で対物レンズ７７に入射し、この対物レンズ７７によって反射型光ディスク４の情報記録領域（情報記録面）上に集光される。これによりこの光ビームによって、反射型光ディスク４に対する情報の記録が行われる。
【００３４】
また、かかる光ビームの反射型光ディスク４における反射光は、対物レンズ７７、光学素子７６、立ち上げミラー７５、ビームエキスパンダ７４を経て、ＰＢＳプリズム７３を透過する。ＰＢＳプリズム７３を透過した光ビームは、コリメートレンズ７８を透過した後、情報信号や所望のサーボ信号等を検出できるように検出側回折格子７９によって所望の光ビームに回折分離され、その後光検出器８０の受光面上に集光される。かくしてこの光検出器８０の出力が反射型光ディスク用サーボ信号生成回路３０（図１）に与えられ、反射型光ディスク用サーボ信号生成回路３０において、かかる光検出器８０の出力に基づいてトラッキング誤差信号及びフォーカス誤差信号が生成される。そしてこのトラッキング誤差信号及びフォーカス誤差信号に基づいて、マイクロコンピュータ１７の制御のもとに、サーボ制御回路２７を介してトラッキング制御やフォーカス制御が行なわれる。
【００３５】
さらに、反射型光ディスク４に記録された情報を再生する場合には、マイクロコンピュータ１７の制御のもとに、光源駆動回路２４から一定の光源駆動電流が与えられ、光源７０から一定パワーの光ビームが発射される。この光ビームが上述の記録動作時と同様にして反射型光ディスク４の情報記録面上に集光され、その反射光が記録動作時と同様にして光検出器８０に入射する。そして、この光検出器８０の出力が反射型光ディスク用信号処理回路２９（図１）に与えられ、反射型光ディスク用信号処理回路２９において再生処理される。また、かかる光検出器８０の出力は、反射型光ディスク用サーボ信号生成回路３０にも与えられ、かくしてこの光検出器８０の出力に基づいて上述の記録動作時と同様にしてトラッキング制御やフォーカス制御が行なわれる。
【００３６】
このように、光ピックアップ１１は、光源４０から光を出射させるか、光源７０から光を出射させるかを切り替える（選択する）ことで、ホログラムディスク３や反射型光ディスク４に情報を記録又は再生することができる。
【００３７】
図５〜図７は、光情報記録再生装置１における記録／再生の動作フローを示したものである。ここでは、特にホログラムディスク３に対する記録再生に関するフローを説明する。
【００３８】
図５は、光情報記録再生装置１に光ディスクを挿入した後、記録又は再生の準備が完了するまでの記録／再生準備処理の流れを示し、図６は、準備完了状態から光ディスクに情報を記録するまでの記録処理の流れを示し、図７は、準備完了状態から光ディスクに記録した情報を再生するまでの再生処理の流れを示したものである。
【００３９】
図５に示すように、光ディスクを挿入すると（ＳＰ１）、光情報記録再生装置１は、例えば挿入された光ディスクがホログラフィを利用してデジタル情報を記録又は再生する光ディスク（ホログラムディスク３）であるかどうかのディスク判別を行なう（ＳＰ２）。
【００４０】
ディスク判別の結果、挿入された光ディスクがホログラムディスク３であると判断すると、光情報記録再生装置１は、そのホログラムディスク３に設けられたコントロールデータを読み出し、例えばその光ディスクに関する情報や、例えば記録時又は再生時における各種設定条件に関する情報を取得する（ＳＰ３）。
【００４１】
光情報記録再生装置１は、かかるコントロールデータを読み出し終えると、コントロールデータに応じた各種調整や光ピックアップ１１に関わる学習処理を行い（ＳＰ４）、記録又は再生の準備が完了する（ＳＰ５）。
【００４２】
準備完了状態から情報を記録するまでの動作フローは、図６に示す通りである。すなわち光情報記録再生装置１は、まず、記録するデータを受信して、該データに応じた情報を光ピックアップ１１内のホログラム用光学系１１Ａにおける図３について上述した空間変調器４６に送り込む（ＳＰ１０）。
【００４３】
その後、光情報記録再生装置１は、ホログラムディスク３に高品質の情報を記録できるように、必要に応じて各種学習処理を事前に行い（ＳＰ１１）、シーク動作ならびにアドレス再生を繰り返しながら光ピックアップ１１ならびにディスクキュア光学系１３の位置をホログラムディスク３の所定の位置に配置する（ＳＰ１２及びＳＰ１３）。
【００４４】
次いで光情報記録再生装置１は、ディスクキュア光学系１３から出射する光ビームを用いて所定の領域をプリキュアするプリキュア処理を行い（ＳＰ１４）、この後、光ピックアップ１１のホログラム用光学系１１Ａから出射する参照光と信号光を用いてデータを記録する（ＳＰ１５）。
【００４５】
データを記録した後は、光情報記録再生装置１は、必要に応じてデータをベリファイし（ＳＰ１６）、ディスクキュア光学系１３から出射する光ビームを用いてポストキュアするポストキュア処理を行なう（ＳＰ１７）。
【００４６】
準備完了状態から記録された情報を再生するまでの動作フローは、図７に示す通りである。すなわち光情報記録再生装置１は、ホログラムディスク３から高品質の情報を再生できるように、必要に応じて各種学習処理を事前に行う（ＳＰ２０）。その後、シーク動作ならびにアドレス再生を繰り返しながら光ピックアップ１１ならびに位相共役光学系１２の位置をホログラムディスク３の所定の位置に配置する（ＳＰ２１及びＳＰ２２）。
【００４７】
その後、光情報記録再生装置１は、光ピックアップ１１のホログラム用光学系１１Ａから参照光を出射し、ホログラムディスク３に記録された情報を読み出す（ＳＰ２３）。
【００４８】
（１−２）本実施の形態におけるディスク判別方法
次に、図５のステップＳＰ２において行なわれるディスク判別処理の具体的な方法について説明する。
【００４９】
図８（Ａ）〜（Ｃ）は、ディスク回転角度検出用光ピックアップ１４の図示しない対物レンズを光ディスクの軸方向に移動させながら、当該ディスク回転角度検出用光ピックアップ１４から光ディスクに向けて光ビームを発射し、その光ビームの光ディスクにおける反射光に基づいて回転角度検出用サーボ信号生成部２１において生成されるフォーカス誤差信号Ｓ１の振幅変化の様子を示している。
【００５０】
この場合、光情報記録再生装置１に光ディスクが装着されていないときには、ディスク回転角度検出用光ピックアップ１４から発射された光ビームが光ディスクにおいて反射しないため、フォーカス誤差信号Ｓ１の振幅は常に一定値（「０」）をとる。また、光情報記録再生装置１にホログラムディスク３が装着されているときには、かかる光ビームがホログラムディスク３の表面において反射するため、その反射光によってフォーカス誤差信号Ｓ１の振幅が図８（Ｂ）のように僅かに変化する。
【００５１】
従って、図８（Ａ）のフォーカス誤差信号Ｓ１の信号レベルと、図８（Ｂ）のフォーカス誤差信号Ｓ１のピークレベルとの間に閾値（以下、これを第１の電圧閾値Ｖｔｈ１と呼ぶ）を設定し、上述のようにディスク回転角度検出用光ピックアップ１４から光ディスクに向けてフォーカス位置を変化させながら光ビームを発射した場合におけるフォーカス誤差信号Ｓ１の変動がこの第１の電圧閾値Ｖｔｈ１よりも大きいか否かを判定することによって、光ディスクが装着されているか否かを判定することができる。
【００５２】
一方、光情報記録再生装置１に反射型光ディスク４が装着されているときには、ディスク回転角度検出用光ピックアップ１４から発射された光ビームが反射型光ディスク４の表面及び反射層においてそれぞれ反射するため、その反射光によってフォーカス誤差信号Ｓ１の振幅が図８（Ｃ）のように変化する。この場合、光ビームは、反射型光ディスク４の表面よりも反射層において多く反射するため、フォーカス誤差信号Ｓ１の振幅は、反射型光ディスク４の表面における反射光に起因する変動（図８（Ｃ）の左側の変動）よりも、反射層における反射光に起因する変動（図８（Ｃ）の右側の変動）のほうが大きくなる。
【００５３】
従って、反射型光ディスク４の表面における反射光に基づくフォーカス誤差信号Ｓ１のピークレベルと、従来型ディスク４の反射層における反射光に基づくフォーカス誤差信号Ｓ１のピークレベルとの間に閾値（以下、これを第２の電圧閾値Ｖｔｈ２と呼ぶ）を設定し、上述のようにディスク回転角度検出用光ピックアップ１４から光ディスクに向けてフォーカス位置を変化させながら光ビームを発射した場合におけるフォーカス誤差信号Ｓ１の変動がこの第２の電圧閾値Ｖｔｈ２よりも大きいか否かを判定することによって、そのとき装着されている光ディスクがホログラムディスク３であるか否かを判定することができる。
【００５４】
そこで、本実施の形態による光情報記録再生装置１では、回転角度検出用サーボ信号生成回路２１において生成されたフォーカス誤差信号Ｓ１に基づいて、反射型光ディスク検出回路２３において、そのフォーカス誤差信号Ｓ１の信号レベルが図８（Ａ）〜（Ｃ）について上述した第１の電圧閾値Ｖｔｈ１や第２の電圧閾値Ｖｔｈ２よりも大きいか否かを判定することにより、光ディスクが装着されているか否か、及び光ディスクが装着されている場合に、その光ディスクがホログラムディスク３及び反射型光ディスク４のいずれであるかを判断する。
【００５５】
図９は、このような機能を有する反射型光ディスク検出回路２３の具体的な構成を示している。この図９からも明らかなように、光情報記録再生装置１においては、ディスク回転角度検出用光ピックアップ１４内に設けられた４分割光検出器８１の第１及び第３の受光領域８１Ａ，８１Ｃからの出力が、それぞれ回転角度検出用サーボ信号生成回路２１内に設けられた第１又は第３のＩＶアンプ８２Ａ，８２Ｃを介して第１の加算回路８３Ａに与えられ、この第１の加算回路８３Ａにおいて加算されて第１の加算信号として減算回路８４の正入力端に与えられる。またかかる４分割光検出器８１の第２及び第４の受光領域８１Ｂ，８１Ｄからの出力が、それぞれ回転角度検出用サーボ信号生成回路２１内に設けられた第２又は第４のＩＶアンプ８２Ｂ，８２Ｄを介して第２の加算回路８３Ｂに与えられ、この第２の加算回路８３Ｂにおいて加算されて第２の加算信号として減算回路８４の負入力端に与えられる。
【００５６】
減算回路８４は、第１の加算信号から第２の加算信号を減算し、かくして得られたフォーカス誤差信号をマイクロコンピュータ１７に送出する。かくしてマイクロコンピュータ１７は、このフォーカス誤差信号に基づいて、上述のようにディスク回転角度検出用光ピックアップ１４から発射された光ビームが光ディスク上でジャストフォーカスするように、回転角度検出用サーボ制御回路２２を介してディスク回転角度検出用光ピックアップ１４を制御する。
【００５７】
また減算回路８４から出力されるフォーカス誤差信号は、反射型光ディスク検出回路２３内の第１及び第２の減算回路８５Ａ，８５Ｂの各正入力端にも与えられる。そして、第１の減算回路８５Ａの負側入力端には、図５のステップＳＰ２のディスク判別処理時、マイクロコンピュータ１７の制御のもとに、第１の閾値電圧出力回路８６Ａから上述の第１の閾値電圧Ｖｔｈ１が与えられる。かくして第１の減算回路８４Ａは、フォーカス誤差信号の信号レベルから第１の閾値電圧Ｖｔｈ１を減算し、かくして得られたフォーカス誤差信号と第１の閾値電圧Ｖｔｈ１との差分電圧を第１の判定信号としてマイクロコンピュータ１７に出力する。
【００５８】
同様に、第２の減算回路８５Ｂの負側入力端には、図５のステップＳＰ２のディスク判別処理時、マイクロコンピュータ１７の制御のもとに、第２の閾値電圧出力回路８６Ｂから上述の第２の閾値電圧Ｖｔｈ２が与えられる。かくして第２の減算回路８４Ｂは、フォーカス誤差信号の信号レベルから第２の閾値電圧Ｖｔｈ２を減算し、かくして得られたフォーカス誤差信号と第２の閾値電圧Ｖｔｈ２との差分電圧を第２の判定信号としてマイクロコンピュータ１７に出力する。
【００５９】
そしてマイクロコンピュータ１７は、反射型光ディスク検出回路２３から与えられる第１及び第２の判定信号に基づいて、そのとき光ディスクが装着されているか否か、及び光ディスクが装着されている場合には、その光ディスクがホログラムディスク３及び反射型光ディスク４のいずれであるかを判定する。またマイクロコンピュータ１７は、この判定結果に基づいて、各種の設定処理を実行する。
【００６０】
図１０は、このようなディスク判別処理に関するマイクロコンピュータ１７の具体的な処理内容を示すフローチャートである。マイクロコンピュータ１７は、図示しない内部メモリに格納された制御プログラムに基づいて、この図１０に示すディスク判別処理を実行する。
【００６１】
すなわちマイクロコンピュータ１７は、図５について上述した記録／再生準備処理のステップＳＰ２に進むとこのディスク判別処理を開始し、まず、ディスク回転角度検出用光ピックアップ１４用の図示しないスライド機構を駆動することにより、光ディスクが装着されている場合に当該光ディスクの所定位置と対向する位置にまでディスク回転角度検出用光ピックアップ１４を移動させる（ＳＰ３０）。
【００６２】
続いてマイクロコンピュータ１７は、光源駆動回路２４（図１）を制御することにより、ディスク回転角度検出用光ピックアップ１４内の光源に電源駆動電流を供給することにより、ディスク回転角度検出用光ピックアップ１４から光ビーム（赤色光ビーム）を発射させる（ＳＰ３１）。
【００６３】
その後マイクロコンピュータ１７は、かかるディスク回転角度検出用光ピックアップ１４内において図示しない対物レンズを保持する図示しない２軸アクチュエータを駆動することにより、対物レンズを光ディスクが装着されている場合の当該光ディスクから最も離れた位置に移動させる（ＳＰ３２）。
【００６４】
続いてマイクロコンピュータ１７は、かかる２軸アクチュエータを駆動することにより、対物レンズのフォーカス方向への移動を開始させ（ＳＰ３３）、この後、このとき反射型光ディスク検出回路２３から与えられる第１及び第２の判定信号の信号レベルのピーク値を取得する（ＳＰ３４）。
【００６５】
次いでマイクロコンピュータ１７は、ステップＳＰ３４において取得した第１の判定信号のピーク値に基づいて、フォーカス誤差信号のピーク値が第１の電圧閾値Ｖｔｈ１を超えたか否かを判断する（ＳＰ３５）。そしてマイクロコンピュータ１７は、この判断において否定結果を得ると、自装置に光ディスクが装着されていないものと判断して（ＳＰ３９）、このディスク判別処理を終了する。
【００６６】
一方、マイクロコンピュータ１７は、かかるステップＳＰ３５の判断において肯定結果を得ると、ステップＳＰ３４において取得した第２の判定信号のピーク値に基づいて、フォーカス誤差信号のピーク値が第２の電圧閾値Ｖｔｈ２を超えたか否か（第２の判定信号のピーク値が正の値であったか否か）を判断する（ＳＰ３６）。
【００６７】
そしてマイクロコンピュータ１７は、この判断において否定結果を得ると、そのとき装着されている光ディスクがホログラムディスク３であると判断し（ＳＰ３７）、これに対して肯定結果を得ると、そのとき装着されている光ディスクが反射型光ディスク４であると判断して、このディスク判別処理を終了する。
【００６８】
（１−３）本実施の形態の効果
以上のように本光情報記録再生装置１では、光ディスクに光ビームを照射し、その反射光に基づいて装着された光ディスクの種類（ホログラムディスク３及び反射型光ディスク４）を判定するため、ユーザがそのとき装着する光ディスクの種類を意識することなく光情報記録再生装置１を使用することができ、その分、光情報記録再生装置１の使い勝手を向上させることができる。
【００６９】
（２）第２の実施の形態
図１との対応部分に同一符号を付して示す図１１は、第２の実施の形態による光情報記録再生装置９０を示す。この光情報記録再生装置９０は、ディスク回転角度検出用光ピックアップ１４から発射されるディスク回転角度検出用の光ビームではなく、光ピックアップ１１の反射型光ディスク用光学系１１Ｂから発射されるＣＤに情報を記録再生するための光ビーム（赤色光ビーム）を用いて、装着された光ディスクがホログラムディスク３であるか否かを判別する点を除いて第１の実施の形態による光情報記録再生装置１と同様に構成されている。
【００７０】
実際上、この光情報記録再生装置９０では、反射型光ディスク用サーボ信号生成回路３０において生成されたフォーカス誤差信号が反射型光ディスク検出回路９１に与えられる。反射型光ディスク検出回路９１は、第１の実施の形態による反射型光ディスク検出回路２３（図１）と同様の構成を有しており、第１の実施の形態と同様の第１及び第２の判定信号をマイクロコンピュータ９３に送出する。
【００７１】
そしてマイクロコンピュータ９３は、反射型光ディスク検出回路９１から与えられる第１及び第２の判定信号に基づいて、そのとき光ディスクが装着されているか否か、及び装着されている場合には、その光ディスクがホログラムディスク３であるかを判定する。なお、マイクロコンピュータ８２によるかかる第１及び第２の判定信号に基づくディスク判別処理の処理手順は図１０について上述したディスク判別処理と同様であるため、ここでの説明は省略する。
【００７２】
以上のように本実施の形態による光情報記録再生装置９０では、ＣＤに情報を記録再生するための赤色光ビームを用いて光ディスクの種類を判定するため、第１の実施の形態と同様に、ユーザがそのとき装着する光ディスクの種類を意識することなく光情報記録再生装置９０を使用することができ、その分、光情報記録再生装置９０の使い勝手を向上させることができる。
【００７３】
（３）第３の実施の形態
図１との対応部分に同一符号を付して示す図１２は、第３の実施の形態による光情報記録再生装置１００を示す。この光情報記録再生装置１００は、光ディスクの透過光に基づいて当該光ディスクの種類を判別する点と、回転モータ１６の定常回転数に基づいて光ディスクの有無を判定する点とを除いて第１の実施の形態による光情報記録再生装置１と同様に構成されている。
【００７４】
すなわち、上述の第１及び第２の実施の形態においては、光ディスクに光ビームを照射し、その反射光の光量に基づいて光ディスクの装着の有無と、光ディスクが装着されている場合に当該光ディスクの種類とを判別している。
【００７５】
しかしながら、ホログラムディスク３が反射膜を有さない光透過型の光ディスクであり、ＣＤ、ＤＶＤ及びＢＤなどの反射型光ディスク４が反射層を有する反射型の光ディスクであることを考慮すれば、光ビームが透過する光ディスクをホログラムディスク３、光ビームが透過しない光ディスクを反射型光ディスク４と判断することができる。
【００７６】
そこで本実施の形態による光情報記録再生装置１００では、図５のステップＳＰ２において、ホログラム用光学系１１Ａから光ディスクに参照光を照射し、その透過光を位相共役光学系１０１において受光し、その受光光量に基づいて、装着された光ディスクがホログラムディスク３であるか否かを判定する。
【００７７】
図３との対応部分に同一符号を付した図１３は、このような本実施の形態による光情報記録再生装置のうちのディスク判別機能に関連する部分の具体的な構成を示したものである。この場合、光情報記録再生装置１００の位相共役光学系１０１側には、図６のステップＳＰ１６において上述したベリファイを行なうためのベリファイ判定回路１０２に加えて、反射型光ディスク検出回路１０３が設けられている。
【００７８】
そして位相共役光学系１０１は、図５のステップＳＰ２のディスク判別処理の際に、ホログラム用光学系１１Ａから発射される参照光のうちの光ディスクを透過した参照光を光検出器１１０において受光し、このときの光検出器１１０の出力を受光信号としてＩＶアンプ１１１を介して反射型光ディスク検出回路１０３に送出する。
【００７９】
反射型光ディスク検出回路１０３は、閾値電圧出力回路１１２及び減算回路１１３から構成されており、位相共役光学系１０３から与えられる受光信号を減算回路１１３の正側入力端に入力する。また閾値電圧出力回路１１２は、ディスク判別処理時、マイクロコンピュータ１０４の制御のもとに、ホログラムディスク３を透過した参照光を受光した光検出器１１０から出力される受光信号の信号レベルよりも低く、かつ反射型光ディスク４により参照光が遮られたときに光検出器１１０から出力される受光信号の信号レベルよりも高い所定電圧（以下、これを閾値電圧Ｖｔｈ３と呼ぶ）を減算回路１１３の負側入力端に出力する。
【００８０】
かくして減算回路１１３は、光検出器１１０の出力電圧から閾値電圧Ｖｔｈ３を減算した減算結果を判別信号としてマイクロコンピュータ１０４に送出する。そしてマイクロコンピュータ１０４は、減算回路１１３から与えられる判別信号に基づいて、そのとき装着されている光ディスクがホログラムディスク３であるか否かを判定する。
【００８１】
なお、上述のように光ディスクの透過光に基づいて光ディスクの種類を判別するに際しては、光ディスクに照射する参照光がホログラムディスク３に記録された情報に悪影響を及ぼさないように、光ディスク上の参照光を照射する位置に留意する必要がある。
【００８２】
すなわち、ホログラムディスク３の記録層を構成するフォトポリマーには、図１４に示すように、初期状態ではエネルギーを吸収し難く（情報を記録し難く）、ある程度エネルギーを吸収した後にはエネルギーを吸収し易くなる（情報を記録し易くなる）が、所定量のエネルギーを吸収し終えた後はエネルギーを吸収し難くなる特性がある。
【００８３】
そこで、通常、ホログラムディスク３に情報を記録するに際しては、まず、ホログラムディスク３におけるそのとき情報を記録する領域部分をプリキュア処理（図６のステップＳＰ１４、図１４の時刻ｔ１〜ｔ２）し、また情報の記録が完了した後には、その領域部分をポストキュア処理（図６の時刻ｔ３〜ｔ４）することにより記録した情報の定着を図っている。なお、図１４において、ＴＨ３はプリキュア処理時に情報を記録する領域部分に与えるエネルギーの閾値を示し、ＴＨ４はポストキュア処理時に情報を記録する領域部分に与えるエネルギーの閾値を示す。
【００８４】
従って、光ディスクを透過した透過光に基づいてその光ディスクの種類を判別するに際しては、参照光を照射する領域としてプリキュア前の未記録領域か又はポストキュア後の領域を選択する必要がある。
【００８５】
そこで、本実施の形態においては、ホログラムディスク３の所定の半径位置に、予め情報記録には利用しないプリキュア処理前の未記録領域又はポストキュア処理後のＲＯＭ領域からなるディスク判別用領域が設けられており、ディスク判別処理時にはこのディスク判別用領域に参照光を照射するようにして光ディスクの種類を判別する。
【００８６】
他方、光情報記録再生装置１において、例えば図１５（Ａ）に示すような一定の駆動電圧Ｖ１を回転モータ１６に印加した場合、光ディスクが装着されていないときには、回転モータ１６の回転数が図１５（Ｂ）の曲線Ｋ１に示すように変化するのに対し、光ディスクが装着されているときには、図１５（Ｂ）の曲線Ｋ２や曲線Ｋ３に示すように、光ディスクが装着されていない場合に比べて光ディスクの重量分だけ回転モータ１６の回転数が低くなる。なお、曲線Ｋ２及び曲線Ｋ３のいずれか一方がホログラムディスク３を装着した場合の回転モータ１６の回転特性であり、他方が反射型光ディスク４を装着した場合の回転モータ１６の回転特性である。
【００８７】
そこで、本実施の形態による光情報記録再生装置１００では、図５のステップＳＰ２において行なわれるディスク判別処理において、回転モータ１６の回転数に基づいて光ディスクが装着されているか否かを判定する。
【００８８】
具体的に、光情報記録再生装置１００では、図１２に示すように、回転モータ１６の回転状態に応じたパルスを出力する例えばロータリーエンコーダ等の図示しない高周波発生器が回転モータ１６に取り付けられており、その出力が回転数検出回路１０５に与えられる。そして回転数検出回路１０５は、供給される高周波発生器の出力に基づいて回転モータ１６の回転数を検出し、検出結果を回転数検出信号としてマイクロコンピュータ１０４に送出する。
【００８９】
このときマイクロコンピュータ１０４には、図１５（Ｂ）に示すように、回転モータ１６の回転数が予め設定された光ディスクが装着されていないときの回転モータ１６の定常回転数よりも小さく、かつ光ディスクが装着されているときの回転モータ１６の定常回転数よりも大きい所定値（以下、これを回転数閾値と呼ぶ）Ｒｔｈが予め設定されている。そしてマイクロコンピュータ１０４は、回転数検出回路１０５から与えられる回転数検出信号に基づき認識される回転モータ１６の回転数と、回転数閾値とを比較することによって、そのとき光ディスクが装着されているか否かを判定する。
【００９０】
図１６は、上述のようなディスク判別処理に関するマイクロコンピュータ１０４の具体的な処理内容を示すフローチャートである。マイクロコンピュータ１０４は、図示しない内部メモリに格納された制御プログラムに基づいて、この図１６に示すディスク判別処理を実行する。
【００９１】
すなわちマイクロコンピュータ１０４は、図５について上述した記録／再生準備処理のステップＳＰ２に進むとこのディスク判別処理を開始し、まず、ディスク回転モータ制御回路２０を制御することにより回転モータ１６を所定電圧で駆動させ（ＳＰ４０）、この後、回転数検出回路１０５から与えられる回転数検出信号に基づいて、そのときの回転モータ１６の定常回転数が予め設定された上述の回転数閾値Ｒｔｈよりも大きいか否かを判断する（ＳＰ４１）。
【００９２】
そしてマイクロコンピュータ１０４は、この判断において肯定結果を得ると、自装置に光ディスクが装着されていないと判断して（Ｐ４７）、このディスク判別処理を終了する。
【００９３】
これに対してマイクロコンピュータ１０４は、かかる判断において否定結果を得ると、図示しないスライド機構を駆動することにより、光ピックアップ１１を光ディスクの所定の半径位置へ移動させ（ＳＰ４２）、この後、光源駆動回路２４（図１２）を制御して光ピックアップ１１のホログラム用光学系１１Ａの光源４０（図１３）を駆動させることにより、参照光を光ディスクのディスク判別領域に向けて照射させる（ＳＰ４３）。
【００９４】
続いてマイクロコンピュータ１０４は、反射型光ディスク検出回路１０３から与えられる判別信号に基づいて、光検出器１１０の出力電圧が反射型光ディスク検出回路１０３の閾値電圧出力回路１１２から出力される閾値電圧Ｖｔｈ３よりも大きいか否かを判断する（ＳＰ４４）。
【００９５】
そしてマイクロコンピュータ１０４は、この判断において肯定結果を得たときには、そのとき装着されている光ディスクがホログラムディスク３であると判断し（ＳＰ４５）、この後、このディスク判別処理を終了する。またマイクロコンピュータ１０４は、かかる判断において否定結果を得たときには、そのとき装着されている光ディスクが反射型光ディスク４であると判断し（ＳＰ４６）、この後、このディスク判別処理を終了する。
【００９６】
以上のように本実施の形態による光情報記録再生装置１００では、光ディスクの透過光に基づいてその光ディスクの種類を判定するため、第１の実施の形態と同様に、ユーザがそのとき装着する光ディスクの種類を意識することなく光情報記録再生装置１００を使用することができ、その分、光情報記録再生装置１００の使い勝手を向上させることができる。
【００９７】
（４）第４の実施の形態
図１２との対応部分に同一符号を付して示す図１７は、第４の実施の形態による光情報記録再生装置１２０を示す。この光情報記録再生装置１２０は、図５のステップＳＰ２におけるディスク判別処理時において、光ディスクに向けて照射する光ビームとして、ディスク回転角度検出用光ピックアップから発射される赤色光ビームを用いる点と、位相共役光学系１２１の構成が異なる点とを除いて第３の実施の形態による光情報記録再生装置１００と同様に構成されている。
【００９８】
図１３との対応部分に同一符号を付して示す図１８は、本実施の形態による光情報記録再生装置１２０におけるかかるディスク判別機能に関する部分の具体的な構成を示したものである。この図１８に示すように、ディスク回転角度検出用光学系１４は、赤色光を発光する光源１３０を備えている。そしてディスク回転角度検出用光学系１４では、ホログラムディスク３への情報の記録／再生時、光源１３０から発射された光ビームがコリメートレンズ１３１により平行光に変換された後、偏光ビームスプリッタ１３２及びミラーを１３３介して対物レンズ１３４に入射し、この対物レンズ１３４によりホログラムディスク３の回転角度制御用トラック３Ａ（図２）上に集光される。
【００９９】
またかかる光ビームのホログラムディスク３における反射光は、対物レンズ１３４、ミラー１３３及び偏光ビームスプリッタ１３２を経由してコリメートレンズ１３５に入射し、このコリメートレンズ１３５により収束光に変換されて光検出器１３６の受光面上に集光する。かくしてこのとき光検出器１３６から出力される受光信号に基づいて回転角検出用サーボ信号生成回路２２においてトラッキング誤差信号及びフォーカス誤差信号が生成され、これらトラッキング誤差信号及びフォーカス誤差信号に基づいてマイクロコンピュータ１２１により回転角度検出用サーボ制御回路２２（図１７）を介してトラッキング制御及びフォーカス制御が行なわれる。
【０１００】
一方、図５のステップＳＰ２のディスク判別処理時には、かかるディスク回転角度検出用光ピックアップ１４は光ディスクに設けられた上述のディスク判別領域上に移動され、このディスク判別領域上においてディスク回転角度検出用光ピックアップ１４の光源１３０が点灯駆動される。
【０１０１】
このとき、ディスク回転角度検出用光ピックアップ１４の光源１３０から発射された光ビームは上述と同様にして光ディスクの情報記録面上に集光されるが、当該光ディスクがホログラムディスク３の場合には、かかる光ビームはその光ディスクを透過して位相共役光学系１２１のレンズ１３７及び偏光ビームスプリッタ１３８を介して光検出器１１０に入射する。この光検出器１１０は、図６のステップＳＰ１６においてベリファイ処理を行う際に用いるものであり、本実施の形態においては、この光検出器１１０をベリファイ処理及びディスク判別処理において併用している点を特徴の１つとしている。そして、このとき光検出器１１０の出力電圧がＩＶアンプ１１１を介して反射型光ディスク検出回路１２２に与えられる。
【０１０２】
反射型光ディスク検出回路１２２は、閾値電圧出力回路１２４から出力される閾値電圧Ｖｔｈ４が、ディスク回転角度検出用光ピックアップ１４の光源１３０から出射し、ホログラムディスク３を透過した光ビームを受光した光検出器１１０の出力電圧よりも低く、かつ反射型光ディスク４によりかかる光ビームが遮られたときの光検出器１１０の出力電圧よりも高い所定の電圧（以下、これを閾値電圧Ｖｔｈ４と呼ぶ）である点を除いて第３の実施の形態による閾値電圧出力回路１０３（図１２）と同様に構成されている。
【０１０３】
かくして反射型光ディスク検出回路１２２は、位相共役光学系１２１の光検出器１１０の出力電圧と、かかる閾値電圧出力回路１２４から出力される閾値電圧Ｖｔｈ４との差分を減算回路１１３において算出し、算出結果を判別信号としてマイクロコンピュータ１２３に出力する。そしてマイクロコンピュータ１２３は、かかる判別信号に基づいて、そのとき装着されている光ディスクの種類を判別する。
【０１０４】
図１９は、上述のようなディスク判別処理に関するマイクロコンピュータ１２３の具体的な処理内容を示すフローチャートである。マイクロコンピュータ１２３は、図示しない内部メモリに格納された制御プログラムに基づいて、この図１９に示すディスク判別処理を実行する。
【０１０５】
すなわちマイクロコンピュータ１２３は、図５について上述した記録／再生準備処理のステップＳＰ２に進むとこのディスク判別処理を開始し、図１６のステップＳＰ４０及びステップＳＰ４１と同様にして、そのときの回転モータ１６の定常回転数が予め設定された上述の回転数閾値Ｒｔｈよりも大きいか否かを判断する（ＳＰ５０，ＳＰ５１）。
【０１０６】
そしてマイクロコンピュータ１２３は、この判断において肯定結果を得ると、自装置に光ディスクが装着されていないと判断して（Ｐ５７）、このディスク判別処理を終了する。
【０１０７】
これに対してマイクロコンピュータ１２３は、かかる判断において否定結果を得ると、図示しないスライド機構を駆動することにより、ディスク回転角度検出用光ピックアップ１４を光ディスクの所定の半径位置へ移動させ（ＳＰ５２）、この後、光源駆動回路２４（図１２）を制御してディスク回転角度検出用光ピックアップ１４の光源１３０（図１８）を駆動させることにより、光ビームを光ディスクのディスク判別領域に向けて照射させる（ＳＰ５３）。
【０１０８】
続いてマイクロコンピュータ１２３は、反射型光ディスク検出回路１０３から与えられる判別信号に基づいて、光検出器１１０の出力電圧が反射型光ディスク検出回路１０３の閾値電圧出力回路１１２から出力される閾値電圧Ｖｔｈ４よりも大きいか否かを判断する（ＳＰ５４）。
【０１０９】
そしてマイクロコンピュータ１２３は、この判断において肯定結果を得たときには、そのとき装着されている光ディスクがホログラムディスク３であると判断し（ＳＰ５５）、この後、このディスク判別処理を終了する。またマイクロコンピュータ１２３は、かかる判断において否定結果を得たときには、そのとき装着されている光ディスクが反射型光ディスク４であると判断し（ＳＰ５６）、この後、このディスク判別処理を終了する。
【０１１０】
以上のように本実施の形態による光情報記録再生装置１２０では、光ディスクの透過光に基づいてその光ディスクの種類を判定するため、第１の実施の形態と同様に、ユーザがそのとき装着する光ディスクの種類を意識することなく光情報記録再生装置１２０を使用することができ、その分、光情報記録再生装置１２０の使い勝手を向上させることができる。
【０１１１】
（５）他の実施の形態
なお上述の第１〜第４の実施の形態においては、装着された光ディスクに向けて光ビームを発射する光源部と、光ディスクにおける光ビームの反射光又は透過光を受光し、受光した反射光又は透過光に応じた出力信号を出力する受光部とを、ディスク回転角度検出用光ピックアップ１４（第１の実施の形態）や、光ピックアップ１１の反射型光ディスク用光学系１１Ｂ（第２の実施の形態）、光ピックアップ１１のホログラム用光学系１１Ａ及び位相共役光学系１０１（第３の実施の形態）、ディスク回転角度検出用光ピックアップ１４及び位相共役光学系１２１（第４の実施の形態）により構成するようにした場合について述べたが、本発明はこれに限らず、かかる光源部及び受光部を、これらディスク回転角度検出用光ピックアップ１４や、光ピックアップ１１の反射型光ディスク用光学系１１Ｂ、光ピックアップ１１のホログラム用光学系１１Ａ及び位相共役光学系１０１、ディスク回転角度検出用光ピックアップ１４及び位相共役光学系１２１とは別個に設けるようにしても良い。
【０１１２】
また上述の第１〜第４の実施の形態においては、かかる受光部から出力される出力信号に基づいて、光ディスクがホログラムディスク３及び反射型光ディスク４のいずれであるかを判別する判別部を、反射型光ディスク検出回路２３，９１，１０３，１２２及びマイクロコンピュータ１７，９２，１０４，１２３により構成するようにした場合について述べたが、本発明はこれに限らず、例えば反射型光ディスク検出回路２３，９１，１０３，１２２を省略してその機能をマイクロコンピュータ１７，９２，１０４，１２３にもたせるなど、種々の構成を広く適用することができる。
【０１１３】
さらに上述の第１〜第４の実施の形態においては、反射型光ディスク検出回路２３，９１，１０３，１２２を、閾値電圧出力部としての閾値電圧出力回路８５Ａ，８５Ｂ，１１２，１２４と、差分電圧出力部としての減算回路８３，８４Ａ，８４Ｂ，１１３とにより構成するようにした場合について述べたが、本発明はこれに限らず、この他種々の構成を広く適用することができる。
【０１１４】
さらに上述の第１及び第２の実施の形態においては、ディスクの有無の検出にフォーカス誤差信号を使用したが、第３及び第４の実施の形態と同様に、ディスク回転モータの回転数による検出を用いても良い。その場合、第１及び第２の実施の形態において第１の電圧閾値Ｖｔｈ１との差分演算回路を省略できる。
【図面の簡単な説明】
【０１１５】
【図１】第１の実施の形態による光情報記録再生装置の構成を示すブロック図である。
【図２】回転角度制御用トラックの説明に供する概略図である。
【図３】ホログラム用光学系の構成を示す概略図である。
【図４】反射型光ディスク用光学系の構成を示す概略図である。
【図５】光情報記録再生装置における記録／再生準備処理の説明に供するフローチャートである。
【図６】光情報記録再生装置における記録処理の説明に供するフローチャートである。
【図７】光情報記録再生装置における再生処理の説明に供するフローチャートである。
【図８】（Ａ）−（Ｃ）は、光ディスクが装着されていない場合、ホログラムディスクが装着された場合及び反射型光ディスクが装着された場合におけるフォーカス位置をスイープしたときのフォーカス誤差信号の振幅変化の様子を示す波形図である。
【図９】反射型光ディスク検出回路の具体的な構成を示すブロック図である。
【図１０】第１の実施の形態によるディスク判別処理に関するマイクロコンピュータの具体的な処理内容を示すフローチャートである。
【図１１】第２の実施の形態による光情報記録再生装置の構成を示すブロック図である。
【図１２】第３の実施の形態による光情報記録再生装置の構成を示すブロック図である。
【図１３】第３の実施の形態による位相共役光学系及び反射型光ディスク検出回路の具体的な構成を示す概略図である。
【図１４】フォトポリマーのエネルギー吸収特性の説明に供する特性曲線図である。
【図１５】（Ａ）は回転制御電圧を示す波形図であり、（Ｂ）は、光ディスクが装着されている場合及び装着されていない場合における回転モータの回転数を示す特性曲線図である。
【図１６】第３の実施の形態によるディスク判別処理に関するマイクロコンピュータの具体的な処理内容を示すフローチャートである。
【図１７】第４の実施の形態による光情報記録再生装置の構成を示すブロック図である。
【図１８】ディスク回転角度検出用光ピックアップ及び第４の実施の形態による位相共役光学系の具体的な構成を示す概略図である。
【図１９】第３の実施の形態によるディスク判別処理に関するマイクロコンピュータの具体的な処理内容を示すフローチャートである。
【符号の説明】
【０１１６】
１，９０，１００，１２０……光情報記録再生装置、２……ホスト、３……ホログラムディスク、３Ａ……回転角度制御用トラック、４……反射型光ディスク、１１……光ピックアップ、１１Ａ……ホログラム用光学系、１１Ｂ……反射型光ディスク用光学系、１２，１０１，１２１……位相共役光学系、１４……ディスク回転角度検出用光ピックアップ、１６……回転モータ、１７，９２，１０４，１２３……マイクロコンピュータ、２１……回転角度検出用サーボ信号生成回路、２２……回転角度検出用サーボ制御回路、２３，９１，１０３，１２２……反射型光ディスク検出回路、４０，８０，１３０……光源、６２，８０，１１０，１３６……光検出器、８３，８４Ａ，８４Ｂ，１１３……減算回路、８５Ａ，８５Ｂ，１１２，１２４……閾値電圧出力回路、１０２……ベリファイ判定回路、１０５……回転数検出回路。
【図１】
0005075556.tif 000002
【図２】
0005075556.tif 000003
【図３】
0005075556.tif 000004
【図４】
0005075556.tif 000005
【図５】
0005075556.tif 000006
【図６】
0005075556.tif 000007
【図７】
0005075556.tif 000008
【図８】
0005075556.tif 000009
【図９】
0005075556.tif 000010
【図１０】
0005075556.tif 000011
【図１１】
0005075556.tif 000012
【図１２】
0005075556.tif 000013
【図１３】
0005075556.tif 000014
【図１４】
0005075556.tif 000015
【図１５】
0005075556.tif 000016
【図１６】
0005075556.tif 000017
【図１７】
0005075556.tif 000018
【図１８】
0005075556.tif 000019
【図１９】
0005075556.tif 000020